(57)【特許請求の範囲】
【請求項１】
手術器具に付属した送信部と、複数に分けられた仕切りを有し、これらの仕切りごとに前記手術器具が配置される棚と、この棚に設置され、前記送信部から発信された電波を受信する受信部と、この受信部で受信した電波によって伝達された前記手術器具の情報を受領する通信部と、前記受信部で受信した電波によって伝達された前記手術器具の情報および各種の手術のそれぞれに用いる予定の器具情報とを保管する情報保管部と、前記手術器具の情報と前記予定の器具情報とを比較して食い違いを判定するチェック部と、前記複数に分けられた仕切りごとに、前記手術器具が入れられたとき、光が遮られるように、前記仕切りの一部に取り付けた発光部と、を備えたカートと、前記通信部を介して、前記手術器具の情報が外部システムに送られることを特徴とする手術器具管理支援カート。
【発明の詳細な説明】
【技術分野】
【０００１】
本発明は、医療分野の手術時に用いる手術器具を載せるカートに係り、特に、
準備された手術器具の確認手段を備えた手術器具の管理支援カートに関する。              
【背景技術】
【０００２】
近年、病院内で使用される手術器具は膨大な数になっており、特に、最近の医療技術の高度化により、ハイレベルな手術が可能となる一方、手術に使用される鋼製小物などの手術器具も、種類や数が今までとは比較にならないくらい増加しており、この膨大な数となってきた手術器具の管理や準備に大変な労力を必要とするものとなってきている。
【０００３】
また、手術器具には多くの種類や大小の別などがあるので、その仕分けから術式に対応した組立作業には、高度な専門知識と経験が必要とされ、したがって、この作業は熟練看護師によって行われている。
【０００４】
その結果、昨今の看護師不足により、このような作業に熟練看護師を従事させていたのでは、看護師本来の仕事である看護業務や手術補助などの業務に支障をきたすようになってきている。
【０００５】
さらに、深刻な問題は、最近の医療技術の急速な高度化で手術器具の総数が増加しているだけではなく、形式的に類似する器具が多く存在するので、熟練看護師といえども、術式に応じた手術器具を組み立てるのは非常に困難な作業であり、だからといって、ミスは絶対に許されないため、その作業時間と労力に大きな負荷がかかっている。
【０００６】
実際に、そのことが原因で、記録漏れや準備遅れ、さらには、数量過不足などの医療ミスが起きていて、医療分野での大きな問題となっている。
【０００７】
そこで、最近では、これらの問題を解決する手段として、特開平６−１４２１０５号公報（特許文献１）、特開２００１−１１２７７５号公報（特許文献２）、特開２００６−１３９３８３号公報（特許文献３）、特開２００６−１３９４３６号公報（特許文献４）あるいは特開２００６−１３９４３７号公報（特許文献５）に記載されているような手術器具の組立作業を支援する電子システムや記憶媒体を利用した技術などが考えられている。
【０００８】
すなわち、上記した特許文献１は、手術に使う銅製小物などの器具にバーコード等を付けて準備の確認ができるようにしたシステム技術であり、また、特許文献２は、術式に対応した手術器具を記録したデータベースを備え、術式に応じた手術器具をモニターに表示させて組立準備の支援をする技術であり、さらに、特許文献３乃至特許文献５は、手術用キットを病院から発注し、キット販売会社がその注文を受注し、搬送センターに出荷可能な状態に準備するシステム技術である。
【特許文献１】特開平６−１４２１０５「手術器具準備システム」（出願人：（株）日音医理    科器械製作所）
【特許文献２】特開２００１−１１２７７５「手術器具準備システム及びコンピュータ読取    り可能な記憶媒体」（出願人：オリンパス光学工業（株））
【特許文献３】特開２００６−１３９３８３「手術用キット発注オンラインシステム」（出願    人：（株）ホギメディカル）
【特許文献４】特開２００６−１３９４３６「手術用キット受注オンラインシステム」（出願人：（株）ホギメディカル）
【特許文献５】特開２００６−１３９４３７「手術用キット搬送オンラインシステム」（出願人：（株）ホギメディカル）
【発明の開示】
【発明が解決しようとする課題】
【０００９】
しかしながら、これら公知技術は、支援部分がほんの一部分であり、例えば、特許文献１では、術式に応じて必要な器具が何であるかは人が判断する必要があり、したがって、実際に器具を揃えるのは人手なので、個別確認が煩雑であり、また、特許文献２も、特許文献１と同様、実際に器具を揃えるのは人手で、やはり個別確認が煩雑である。
【００１０】
また、特許文献３乃至特許文献５においても、病院側での受け入れ確認が人手で行われていて、その確認作業が煩雑であるため、相変わらず、確認漏れが起きたり、使用器具の記録漏れなどのミスが起きやすい状況には変わりない。
【００１１】
そこで、本発明の目的は、人手を介することなく、簡便に、使用する手術器具の記録と術式に応じた個別確認を可能とした手術器具管理支援カートを得ることにある。
【課題を解決するための手段】
【００１２】
本発明の手術器具管理支援カートは、手術器具に付属した送信部と、複数に分けられた仕切りを有し、これらの仕切りごとに前記手術器具が配置される棚と、この棚に設置され、前記送信部から発信された電波を受信する受信部と、この受信部で受信した電波によって伝達された前記手術器具の情報を受領する通信部と、前記受信部で受信した電波によって伝達された前記手術器具の情報および各種の手術のそれぞれに用いる予定の器具情報とを保管する情報保管部と、前記手術器具の情報と前記予定の器具情報とを比較して食い違いを判定するチェック部と、前記複数に分けられた仕切りごとに、前記手術器具が入れられたとき、光が遮られるように、前記仕切りの一部に取り付けた発光部と、を備えたカートと、前記通信部を介して、前記手術器具の情報が外部システムに送られることを特徴とするものである。
【００１９】
さらに、本発明の手術器具管理支援カートにおいては、前記棚に複数に分けられた仕切りを備え、その仕切りごとに、前記手術器具が入れられたとき、光が遮られるように、発光部を前記仕切りの一部に取り付けたことを特徴とするものである。
【発明の効果】
【００２０】
本発明によれば、使用する手術器具の記録および術式に応じた個別確認が、人手を介さずに、簡便に、行われるので、経験が長い熟練の看護師でなくとも、手術器具の準備や術式に応じた個別確認が可能となり、その結果、熟練看護師は看護師本来の業務に集中専念できるようになるので、昨今の大きな問題である看護師不足の解消に役立つのは勿論、この看護師不足の解消が従来起きていた医療ミスの減少にもつながり、医療現場の業務効率と安全性を著しく向上させることができる。
【００２１】
また、本発明によれば、手術器具の使用状況や準備状況が確認できるシステムを、使用者各自の携帯端末などに組み込ませることができるので、使用者自身が、随時、手術器具の使用状況や準備状況を把握することができるため、手術器具の
準備ミスや記録もれなどの医療ミスを未然に防ぐことができる。
【発明を実施するための最良の形態】
【００２２】
以下、本発明の実施形態につき、図１乃至図２３を用いて詳細に説明する。
【００２３】
図１は、本発明による情報伝達システムの構成を示したシステムブロック図で、手術器具１には付属した送信部２、例えば、ＩＣタグなどが貼られている、この送信部２から発信された電波は、物品管理用棚（後記図２）などに付属している受信部３に送られ、この受信部３で受信した電波で伝達された手術器具の情報（以下、手術器具情報と呼ぶ）は、通信部４を介して、物品管理システムや手術器具管理システムなどの外部システム５に送信される。
【００２４】
この場合、通信部４と外部システム５との通信は、例えば、ネットワークアダプタ（後記図４）をカート（後記図２）に備え、イーサネット（登録商標）やブルートゥースなどの有線、或いは、無線のネットワークを用いて行われる。
【００２５】
なお、赤外線や無線、およびＵＳＢなどによるカートと外部システムとの直接の通信でもよい。
【００２６】
また、本実施形態で、送信部２に、例えば、ＩＣタグを用いた場合、受信部３にもＩＣタグ受信器を用いるが、手術器具の大きさは数センチ乃至数十センチ程度なので、手術器具を回避して伝播させるために、長波帯や短波帯の電波を送受信するＩＣタグを用いている。
【００２７】
また、手術器具の大きさや電力供給などの制約から、送信部２のＩＣタグにパッシブ型ＩＣタグを用い、受信部３のＩＣタグ受信器には、認識用の電波発信機能を持つものを用いても良い。この場合は、先ず、受信部３から認識用の電波を発信し、その認識用電波を送信部２が受信した後に、手術器具情報を送信し、受信部３が受信することになる。
【００２８】
図２は、本発明に用いられるカートの実施形態を側面から見た説明図である。このカート６は底部に車輪７を有する台車形式のもので、上部の天板８が、前記した物品管理用棚８Ａを兼ねており、この棚８Ａに手術器具が置かれる構成になっている。
【００２９】
図３は、本発明に使用されるカートの棚上に手術器具などが置かれた状態を示した説明図で、天板９の棚１０上には、各種手術器具１１が置かれ、また、棚１０において、図面に対して左上の隅部および右下の隅部には２個の受信器１２が設置されている。
【００３０】
そして、この受信器１２からの電波は、図１に示した外部システム５に含まれる表示画面１３Ａを有する情報管理端末１３に送られる構成になっている。
【００３１】
なお、本実施形態では、受信領域の制約を緩和しあるいは複数の受信部１２からの信号の重複をチェックして信頼性を確保するために、棚１０上に２個の受信器１２が設置かれているが、この受信機１２は棚１０の中心部に1個だけ設置してもよい。
【００３２】
また、棚１０が複数段ある場合には、各段の棚１０それぞれに受信器１２を設置して、全ての棚１０の手術器具１１をチェックできるようにする。
【００３３】
このような構成のカートにおいて、手術室で手術により、手術器具１１が使用されて、棚１０から除かれると、その除かれた手術器具１１に付けられている送信部２（図１）からの信号を受信器１２が受信し、その受信信号を通信部４（図１）が受けて、通信部４により外部システム５（図１）の情報管理端末１３に伝達される。
【００３４】
情報管理端末１３では、手術器具１１の使用記録を保存しあるいはその使用状況を表示画面１３Ａ上に表示してチェック確認を支援している。
【００３５】
図４は、本発明による受信部および通信部がカートから取り外しできる実施形態の説明図で、外部システム５（図１）の情報管理端末１４からの信号を受信する受信器１５が前記したネットワークアダプタ１６に備えられており、このネットワークアダプタ１６をカート１７から取外した状態が示されている。
【００３６】
このような構成により、ネットワークアダプタ１６をカート１７から外して、医師や看護師および技師などの携帯端末に取り付ければ、誰でもが、必要に応じて、手術器具情報を得ることができる。
【００３７】
図５は、本発明によるカートの設置場所を示した説明図で、患者１８がドレープ１９で覆われて載置されている寝台２０は、カート２１の天板２２の下側に配置される。天板２２上にはキャビネット２３が設置されており、このキャビネット２３は複数の引き出し２４を有しており、それらの引き出し２４内に手術器具が収納される構成になっている。
【００３８】
この場合、キャビネット２３には、受信部および通信部のすべて、または、その一部が備えられている。
【００３９】
図６は、本発明による情報伝達システムの第２の実施形態を示したシステムブロック図で、手術器具２５に付属した送信部２６から発信された電波を受信する受信部２７と、受信した電波で、伝達された手術器具情報と全種類の手術に用いる予定の器具情報（以下、予定器具情報と呼ぶ）とを保管する情報保管部２８と、手術器具情報と予定器具情報との種類および数量それぞれを比較して食い違いを判定するチェック部２９と、そのチェック部２９による判定結果を表示する表示部３０と、使用する予定器具情報を選択する手術器具選択部３１と、が備えられている。
【００４０】
なお、手術器具選択部３１は、例えば、タッチパネルを用いて、使用者が直接選択できるようになっている。
【００４１】
また、情報保管部２８が保存する予定器具情報は、外部から有線や無線のネットワークで通信して登録し、あるいはＣＤやＵＳＢメモリーなどの記録媒体によって登録してもよい。
【００４２】
また、情報保管部２８は、手術器具の状況を時系列で記録して、この記録を外部に出力する手段を備えることができるが、この場合、出力は有線や無線などの通信でもよく、ＣＤやＵＳＢメモリーなどの記録媒体に出力してもいい。
【００４３】
さらに、情報保管部２８は、手術の種類ごとの手術器具を登録する画面を備えて、その画面上で使用者が直接登録することもできる。
【００４４】
図７は、本発明による図６のシステム構成が適用されるカートの実施形態を示した説明図で、カート３２の棚３３上には複数の手術器具３４が載せられており、また、棚３３上において、図面に対して左上および右下の２つの隅には、受信器３５が設置されている。
【００４５】
さらに、カート３２の右側上部（図面に対して）には、表示画面３６Ａを有するネットワークアダプタ３６が備えられている。
【００４６】
図８は、本発明の第２の実施形態による表示部の画面表示例を示した説明図で、図６の表示部３０に含まれる画面３７上には、図６のチェック部２９でチェックされた結果の予定器具情報が、脳外科の例として、手術器具の種類と数量で表示されている。
【００４７】
すなわち、表示画面３７上には、メスが５、セルポンジ（×１０）が２、かん子が１０、および、縫合糸（３０cm×５）が２など、それぞれが丸（○）印で示されており、また、皮膚ペンが４およびバルーンなどは、ばつ（×）印で、それぞれが示されている。
【００４８】
なお、表示画面３７は、棚３３に隣接した位置に設置してもいいし、棚３３にドレープがかけられても、見えるようにアームで支持する構成にしてもいい。
【００４９】
図９は、本発明の手術器具選択部に備えられたタッチパネル表示部における表示例を示した説明図である。タッチパネルの表示画面３８には専門医科の名称、すなわち、脳外科３８Ａ、循環器３８Ｂ、消化器３８Ｃ、泌尿器３８Ｄ、整形３８Ｅ、および整形（頭部）３８Ｆなどが、それぞれ、タッチボタンとして表示されている。
【００５０】
図１０は、本発明の情報保管部における予定器具情報の登録画面を示した説明図で、この登録画面はタッチパネルを備えた画面構成になっていて、その登録画面３９には、手術の種類、すなわち、専門医科ごとに予定器具情報が表示されている。同図では、専門医科が脳外科の場合で、[メス×５]３９Ａ、[かん子×１０]３９Ｂ、[セルポンジ（×１０）×２]３９Ｃ、および[バルーン]３９Ｄなどが、それぞれタッチボタンとして表示されている。
【００５１】
したがって、使用者は、このタッチボタン３９Ａ乃至３９Ｄをタッチすることによって、専門医科別に登録されている手術器具を知ることができる。
【００５２】
ここで、使用者がタッチボタン３９Ａをタッチした場合の表示例を図１１について説明する。
【００５３】
図１１は、本発明による予定器具情報の登録画面の説明図で、登録画面４０には手術器具の登録情報がラベル４０Ａ、数量４０Ｂ、および器具の識別ＩＤ４０Ｃなどの項目で表示されるが、同図には、手術器具１として、ラベル４０Ａが「メス」で、その数量４０Ｂが「５」の手術器具が識別ＩＤ４０Ｃが「ＡＧ０１３ＤＧ３Ｄ」で登録されていることが、それぞれタッチボタンとして表示されている。
【００５４】
なお、ラベルや数量、および識別ＩＤなどの情報は、外部から通信手段を用いたり、或いは、それら情報を記憶させた記録媒体を利用して登録してもいいし、タッチパネルなどの表示画面を介して、使用者が、直接、登録してもいい。
【００５５】
また、識別ＩＤには病院や器具製造者の独自のＩＤを用いてもいいし、ＪＡＮコードのような標準的なＩＤを用いてもいい。
【００５６】
図１２は、本発明による第２の実施形態の一部の構成部分をカートとは別装置とした実施形態の説明図である。図１２に示すように、この実施形態においてはカート４３と、これとは別の制御装置４４からなり、制御装置４４には図６に示したシステム構成のうち、送信部２６以外の受信部２７乃至手術器具選択部３１まとめられている。この制御装置４４には受信部４１や表示部４２が設けられている。したがって、カート４３には送信部２６だけが設けられ、他の構成部分はすべて制御装置４４に備えられている。この制御装置４４は、カート４３に着脱自在に装着されている。
【００５７】
このような構成にすることによって、医師や看護師、および技術者などが、各自の携帯端末に制御装置４４を取り付けることができ、その携帯端末を各自がカート４３に近づけることで手術器具情報を受信して、表示画面４２上で手術器具の選択を行いあるいは手術器具のチェック結果を表示させることができるので、医師や看護師、および技術者各自が、随時、手術器具の準備状況を知ることができる。
【００５８】
なお、本実施形態において、受信器４１のみはカート４３に備え、制御装置４４を取り付けた携帯端末とカート４３との間は、有線や無線で通信できる構成にしてもいい。
【００５９】
また、図５に示したキャビネット形式のカート２２の場合、キャビネット２２に図６のシステム構成のすべてまたは一部を内臓させることもできる。
【００６０】
図１３は、本発明による第３の実施形態を示したシステムブロック図で、カート４５側に、手術器具４６に付属した送受信部４７があり、手術室４８側には、送受信部４７から発信された電波を受信する受信部４９と、受信した電波で伝達された手術器具情報を物品管理システム５０に伝達する通信部５１とを備えている。    
そして、この物品管理システム５０は、手術器具情報と、全種類の手術に用いる予定の器具情報、すなわち、予定器具情報とを保管する情報保管部５２と、手術器具情報と予定器具情報とを比較して食い違いを判定するチェック部５３と、このチェック部５３の判定結果と使用状況とを表示する表示部５４と、使用する予定器具情報を選択する手術器具選択部５５などとから構成されている。
【００６１】
この場合、チェック部５３が手術器具情報から使用可能な手術器具の数量をチェックし、少なくなったら表示部５４に警告メッセージを表示したりして、物品管理システム５０に不足器具を通知する。
【００６２】
図１４は、本発明による手術の準備を行う実施形態のシステムブロック図で、手術器具５６に付属した送信部５７があり、その送信部５７から発信された電波を受信する受信部５８と、受信した電波で伝達された手術器具情報と、全種類の手術に用いる予定器具情報とを保管する情報保管部５９と、手術器具情報と予定器具情報とを比較して食い違いを判定するチェック部６０と、このチェック部６０の判定結果を表示する表示部６１と、手術予約システムやオーダリングシステムなどの外部システム６２と通信し、手術の種類をチェックするチェック部６０に伝達するための通信部６３などから構成されている。
【００６３】
このような構成で、手術予約システムやオーダリングシステムなどの外部システム６２で手術の種類を選択し、通信部６３が外部システム６２から手術の種類を受信してチェック部６０に伝達する。
【００６４】
チェック部６０では、受信した手術の種類に応じた手術器具が準備されているかがチェックされ、そのチェック結果が表示部６１に表示される。
【００６５】
図１５は、図１４のシステム構成を適用したカートと手術予約システムとの関係を具体的に示した説明図で、手術予約システム６４から手術の種類を受信するカート６５は、その棚６６上に複数の手術器具６７が載せられており、図面に対して左上および右下の隅にはそれぞれ受信器６８が設置されている、また、右上部には、表示画面６９を有するネットワークアダプタ７０が取り付けられている。
【００６６】
このような構成において、カート６５では、手術予約システム６４から手術の種類が受信器６８で受信され、さらに、図１４のチェック部６０で、受信した手術の種類に必要な手術器具のチェックが行われて、そのチェック結果、すなわち、これから手術が行われる手術器具の準備状況が表示画面６９に表示される。
【００６７】
図１６は、本発明による手術キットを発注する実施形態のシステムブロック図で、手術器具７１に付属した送信部７２があり、その送信部７２から発信された電波を受信する受信部７３と、受信した電波で伝達された手術器具情報と、後記の通信部から伝達された予定器具情報とを保管する情報保管部７４と、手術器具情報と予定器具情報とを比較して食い違いを判定するチェック部７５と、このチェック部７５の判定結果を表示する表示部７６と、消毒する器具や使い捨て器具などに分けられている手術キットを発注する、いわゆる、手術キット発注システム７７と通信し、手術の種類と予定器具情報とを情報保管部７４に伝達するための前記通信部７８などから構成されている。
【００６８】
図１７は、図１６のシステム構成を適用したカートと手術キット発注システムとの関係を具体的に示した説明図で、カート７９の棚８０上には複数の手術器具８１が載せられており、図面に対して左上および右下の隅にはそれぞれ受信器８２が設置されている。また、右上部（図面に対して）には、表示画面８３を有するネットワークアダプタ８４が取り付けられている。
【００６９】
そして、カート７９は、手術キット発注システム７７の端末７７Ａから、手術の種類や予定器具情報などが含まれる手術器具の発注リストを受信して、その発注リストが情報保管部７４（図１６）に伝達される。
【００７０】
図１８は、本発明によるカートの電源切り替え管理を行う実施形態を示したシステムブロック図である。同図に示すように、手術器具８６に付属した送信部８７と、その送信部８７から発信された電波を受信する受信部８８と、受信した電波で伝達された手術器具情報と、全種類の手術に用いる予定器具情報とを保管する情報保管部８９と、手術器具情報と予定器具情報とを比較して食い違いを判定するチェック部９０と、このチェック部９０の判定結果を表示する表示部９１と、使用する予定器具情報を選択する手術器具選択部９２と、電源のオン/オフ切り替えを管理する電源管理部９３などから構成されている。
【００７１】
一般に、手術室では、検査装置や人工心肺装置など、多種類の電子機器が使用されているため、電波の漏出は出来るだけ抑制することが必要である。
【００７２】
そこで、上記システム構成においては、チェック部９０の結果から、全ての手術器具が揃ったことが確認されると、そのことが電源管理部９３に通知され、カート６（図２）の電源はオフ状態になって、カート６（図２）からの電波は停止する。
【００７３】
この電源オフのタイミングは、手術器具の揃ったことが確認された直後の他に、確認後の決められた所定時間後であったり、使用者が表示部９１で確認した後であったり、或いは、手術室の出入り口に出入り管理システムがある場合には、本システムにより手術室への入出が確認されたときであったり、いろいろなタイミング方法が考えられる。
【００７４】
図１９は、本発明によるカートが複数箇所に設置された場合のシステムブロック図であり、カート９４Ａとカート９４Ｂの２カートに分けられている。カート９４Ａは、手術器具９５に付属した送信部９６があり、その送信部９６から発信された電波を受信する受信部９７と、受信した電波で伝達された手術器具情報と、全種類の手術に用いる予定器具情報とを保管する情報保管部９８と、手術器具情報と予定器具情報とを比較して食い違いを判定するチェック部９９と、このチェック部９９の判定結果を表示する表示部１００と、複数のカート９４Ａとカート９４Ｂと間で手術器具情報の伝達を行う通信部１０１などから構成されている。
【００７５】
一方、カート９４Ｂは、カート９４Ａの構成からチェック部９０と表示部９１が省かれた構成で、情報保管部１０２からの信号が通信部１０３を介してカート９４Ａの通信部１０１に送られるシステム構成になっている。
【００７６】
この実施形態は手術に用いられる手術器具が多数ある場合で、このような場合には複数のカートが用いられる。
【００７７】
この場合、複数のカート間、すなわち、カート９４Ａとカート９４Ｂとの間では、通信部１０３を介して、手術器具情報を共有し、全体として、手術器具が揃っているかどうかがチェックできるようになっている。
【００７８】
図２０は、上記の実施形態における表示部の画面上に表示されている表示状態を示した説明図で、手術種類として脳外科の場合の手術器具情報が、カート別に表示されていて、カート１には「メス」が５、かん子が１０、そして、カート２には、セルポンジ（×１０）が２、縫合糸（３０ｃｍ×５）が２、それぞれ丸印（○）で、さらに、皮膚ペンが４、およびバルーンがそれぞれバツ印（×）で表示されている。
【００７９】
図２１は、本発明によるカートの他の実施形態の説明図である。この実施形態においては、カートの棚１０４が複数の仕切り１０５で仕切られており、仕切り１０５ごとにラベル１０６が貼られている。そして、それらのラベル１０６には手術器具の種類名「ペン」や「かん子」などが記入されており、手術器具の置く仕切り場所が決められている。
【００８０】
また、棚１０４の底部には、仕切り１０５ごとに、チェック用の発光部１０７、例えば，ＬＥＤなどが取り付けられている。  
図２２は、上記した図２１の実施形態において、発光部の設置状態を一部断面で示した説明図で、図２１と同一構成部分には同一符号を付し、以下では、図２１と相違する部分について主として説明する。    
同図において、仕切り１０５（図２１）ごとに、棚１０４の底部１０４ＡにＬＥＤなどの発光部１０７が入れられる穴１０８があけられており、また、その上面には光を透す透明板１０９が取り付けられている。仕切り１０５（図２１）に手術器具が置かれると、発光部１０７からの光が手術器具で遮断され、手術器具が準備されていることを認知することができる。したがって、発光部１０７からの光が検出されている場合は、当然、手術器具の準備がされていないことになる。
【００８１】
なお、本実施形態において、棚１０４上のすべての仕切り１０５に手術器具を置くとは限らない場合、発光部１０７を着脱可能にすることによって、発光部１０７を取り除き、チェック不要の仕切りを設けることもできる。
【００８２】
図２３は、本発明によるさらに他の実施形態を示す棚の斜視図である。この実施形態においてはカーとの棚が箱型になっている。この箱型の棚（以下、箱型棚と呼ぶ）１１０は、その奥壁面１１１に複数の発光部１１２が設置され、また、前壁面１１３は、光を透す透明板で作られており、手術器具のラベル１１４が貼られている。
【００８３】
このような箱型棚１１０では、手術器具がその箱型棚１１０に入れられると、その手術器具によって発光部１１２からの光が遮断され、前壁面１１３が暗くなるので、その箱型棚１１０には手術器具が準備されていることが分る。
【００８４】
なお、本実施形態においても、複数段の箱型棚を有するカートの場合、すべての箱型棚に手術器具を置く必要がなければ、発光部１１２を着脱可能にすることによって、奥壁面１１１から発光部１１２を取り除き、チェック不要の箱型棚１１０を設けることができる。
【００８５】
また、手術器具が準備されて箱型棚１１０が暗くなったら、発光部１１２を消灯させて準備の状況がより明確に分るようにしてもいい。
【図面の簡単な説明】
【００８６】
【図１】本発明による情報伝達システムの構成を示したシステムブロック図である。
【図２】本発明に用いられるカートの実施形態を側面から見た説明図である。
【図３】本発明に使用されるカートの棚上に手術器具などが置かれた状態を示した説明図である。
【図４】本発明による受信部および通信部がカートから取り外しできる実施形態の説明図である。
【図５】本発明によるカートの設置場所を示した実施形態の説明図である。
【図６】本発明による情報伝達システムの第２の実施形態を示したシステムブロック図である。
【図７】本発明による図６のシステム構成において、適用されたカートの実施形態を示した説明図である。
【図８】本発明の第２の実施形態による表示部の画面表示例を示した説明図である。
【図９】本発明の手術器具選択部がタッチパネルによる表示部を備えた場合の表示例を示した説明図である。
【図１０】本発明の情報保管部における予定器具情報の登録画面を示した説明図である。
【図１１】本発明による予定器具情報の登録画面の説明図である。
【図１２】本発明による第２の実施形態のある構成部分をカートとは別装置とした実施形態の説明図である。
【図１３】本発明による第３の実施形態を示したシステムブロック図である。
【図１４】本発明による手術の準備を行う実施形態のシステムブロック図である。
【図１５】本発明による図１４のシステム構成を適用したカートと手術予約システムとの関係を具体的に示した説明図である。
【図１６】本発明による手術キットを発注する実施形態のシステムブロック図である。
【図１７】本発明による図１６のシステム構成を適用したカートと手術キット発注システムとの関係を具体的に示した説明図である。
【図１８】本発明によるカートの電源切り替え管理を行う実施形態を示したシステムブロック図である。
【図１９】本発明によるカートが複数箇所に設置された場合のシステムブロック図である。
【図２０】本発明による図１９の実施形態における表示部の画面上に表示されている表示状態を示した説明図である。
【図２１】本発明によるカートにおいて手術器具の置かれる場所が決められている実施形態の説明図である。
【図２２】本発明によるカートにおいて発光部の設置状態を一部断面で示した説明図である。
【図２３】本発明による棚が箱型構成になっている実施形態の斜視図である。
【符号の説明】
【００８７】
１，１１，２５，３４，４６，５６，６７，７１，８１，８６，９５，  手術器具
２，２６，５７，７２，８７，９６  通信部
３，２７，４１，４９，５８，７３，８８，９７  受信部
４，５１，６３，７８，１０１，１０３  通信部
５，６２  外部システム
６，１７，２１，３２，４３，４５，６５，７９，９４Ａ，９４Ｂ  カート
７  車輪
８，９，２２  天板
８Ａ，１０，３３，６６，８０，１０４  棚
１２，１５，３５，６８，８２  受信器
１３，１４  情報管理端末
１３Ａ，３７，６９，８３  表示画面
１６，３６，７０，８４  ネットワークアダプタ
１８  患者
１９  ドレープ
２０  寝台
２３  キャビネット
２４  引き出し
２８，５２，５９，７４，８９，９８，１０２  情報保管部
２９，５３，６０，７５，９０，９９  チェック部
３０，５４，６１，７６，９１，１００  表示部
３１，５５，９２  手術器具選択部
３６Ａ，４２  表示画面
３８  タッチパネルの表示画面
３８Ａ  脳外科
３８Ｂ  循環器
３８Ｃ  消化器
３８Ｄ  泌尿器
３８Ｅ  整形
３８Ｆ  整形（頭部）
３９，４０  登録画面
３９Ａ  メス×５
３９Ｂ  かん子×１０
３９Ｃ  セルポンジ（×１０）×２
３９Ｄ  バルーン
４０Ａ  ラベル表示
４０Ｂ  数量表示
４０Ｃ  識別ＩＤ表示
４４  別の制御装置
４７  手術室
４８  送受信部
５０  物品管理システム
６４  手術予約システム
７７，８５  手術キット発注システム
７７Ａ  手術キット発注システムの端末
９３  電源管理部
１０５  仕切り
１０６，１１４  ラベル
１０７，１１２  発光部
１０８  穴
１０９  透明板
１１０  箱型棚
１１１  奥壁面
１１３  前壁面
【図１】
0005242204.tif 000002
【図２】
0005242204.tif 000003
【図３】
0005242204.tif 000004
【図４】
0005242204.tif 000005
【図５】
0005242204.tif 000006
【図６】
0005242204.tif 000007
【図７】
0005242204.tif 000008
【図８】
0005242204.tif 000009
【図９】
0005242204.tif 000010
【図１０】
0005242204.tif 000011
【図１１】
0005242204.tif 000012
【図１２】
0005242204.tif 000013
【図１３】
0005242204.tif 000014
【図１４】
0005242204.tif 000015
【図１５】
0005242204.tif 000016
【図１６】
0005242204.tif 000017
【図１７】
0005242204.tif 000018
【図１８】
0005242204.tif 000019
【図１９】
0005242204.tif 000020
【図２０】
0005242204.tif 000021
【図２１】
0005242204.tif 000022
【図２２】
0005242204.tif 000023
【図２３】
0005242204.tif 000024